(57)【特許請求の範囲】
【請求項１】
第１のケースパネルと、
前記第１のケースパネルに対して開閉可能な第２のケースパネルと、を有し、
前記第１のケースパネルは、前記第２のケースパネルに対向する面に、メモリーカードをそれぞれ保持するとともに、メモリーカードが配置される領域をそれぞれ囲む複数の第１ホルダーを有し、
前記第２のケースパネルは、前記第１のケースパネルに対向する面に、前記メモリーカードをそれぞれ保持するとともに、メモリーカードが配置される領域をそれぞれ囲む複数の第２ホルダーを有し、
前記複数の第１ホルダーのうち少なくとも１つの第１ホルダーが囲む領域は、前記複数の第２ホルダーのうち少なくとも１つの第２ホルダーが囲む領域と少なくとも部分的に対向しており、
前記少なくとも１つの第１ホルダーは、前記第２のケースパネルに向けて突出し、前記少なくとも１つの第２ホルダーに配置されているメモリーカードの当該少なくとも１つの第２ホルダーからの離脱を制限するための凸部を有している、
ことを特徴とする収納ケース。
【請求項２】
請求項１に記載の収納ケースにおいて、
前記複数の第１ホルダーは第１の方向に並んでおり、
前記複数の第２ホルダーは前記第１の方向に並んでおり、
前記複数の第１ホルダーのそれぞれは前記複数の第２ホルダーのそれぞれに対して前記第１の方向にずれて位置し、
前記複数の第１ホルダーのそれぞれは、前記第２のケースパネルに向かって突出する前記凸部を有している、
ことを特徴とする収納ケース。
【請求項３】
請求項２に記載の収納ケースにおいて、
前記複数の第２ホルダーのそれぞれは、前記第１のケースパネルに向けて突出し、前記第１ホルダーに配置されるメモリーカードの前記第１ホルダーからの離脱を制限するための凸部を有している、
ことを特徴とする収納ケース。
【請求項４】
請求項２又は３に記載の収納ケースにおいて、
前記複数の第１ホルダーの前記凸部は前記複数の第２ホルダーが囲む領域の内側に向けて突出している、
ことを特徴とする収納ケース。
【請求項５】
請求項４に記載の収納ケースにおいて、
前記複数の第１ホルダーのそれぞれはメモリーカードが配置される領域を囲む壁部を含み、
前記壁部の一部はメモリーカードが配置される領域の長手方向に沿っており、当該壁部の一部が前記凸部として機能している、
ことを特徴とする収納ケース。
【請求項６】
請求項４に記載の収納ケースにおいて、
前記複数の第２ホルダーのそれぞれは、メモリーカードの縁に引っ掛かるとともに弾性変形可能なフックと、メモリーカードの反対側の縁を保持する保持部とを有し、
前記複数の第１ホルダーの前記凸部は、前記複数の第２ホルダーが囲む領域における、前記保持部よりも前記フック側の位置に向かって突出している、
ことを特徴とする収納ケース。
【請求項７】
請求項１に記載の収納ケースにおいて、
前記少なくとも１つの第２ホルダーは、メモリーカードの縁に引っ掛かるとともに弾性変形可能なフックを有し、
前記少なくとも１つの第１ホルダーが有する前記凸部は、前記第２のケースパネルに向けて突出し、前記少なくとも１つの第２ホルダーのフックの弾性変形を制限する、
ことを特徴とする収納ケース。
【請求項８】
請求項２又は３に記載の収納ケースにおいて、
前記複数の第１ホルダーは、複数の第１メインホルダーと、前記複数の第１ホルダーの端部に配置され且つ前記複数の第１メインホルダーよりも小さい第１サブホルダーとを含み、
前記複数の第１メインホルダーは前記複数の第２ホルダーに対して第１の方向にずれて配置され、
前記第１のサブホルダーは、前記複数の第１メインホルダーが前記複数の第２ホルダーに対してずれた方向とは反対側の端部に配置されている、
ことを特徴とする収納ケース。
【発明の詳細な説明】
【技術分野】
【０００１】
本発明は複数のメモリーカードを収納するためのケースに関する。
【背景技術】
【０００２】
従来、メモリーカードが利用可能な電子機器が利用されている（例えば、下記特許文献１）。メモリーカードは、樹脂によって成型されたケースに保管される場合がある。多くのケースの内面にはフックを備えるホルダーが形成されており、メモリーカードはこのホルダーで保持される。
【先行技術文献】
【特許文献】
【０００３】
【特許文献１】米国特許出願公開公報第２００７／０２０２９５６号明細書
【発明の概要】
【発明が解決しようとする課題】
【０００４】
ユーザがケースを落としてしまった場合など、ケースに衝撃が加わる場合がある。そのような衝撃が加わった場合でも、メモリーカードがホルダーから外れないことが望ましい。また、１つのケースに複数のメモリーカードを収容することができれば、ユーザにとって便利である。
【０００５】
本発明の目的は、ケースの大型化を抑えながら、複数のメモリーカードを安定的に保持できる収納ケースを提供することにある。
【課題を解決するための手段】
【０００６】
本発明に係る収納ケースは、第１のケースパネルと、前記第１のケースパネルに対して開閉可能な第２のケースパネルと、を有する。前記第１のケースパネルは、前記第２のケースパネルに対向する面に、メモリーカードをそれぞれ保持するとともに、メモリーカードが配置される領域をそれぞれ囲む複数の第１ホルダーを有している。前記第２のケースパネルは、前記第１のケースパネルに対向する面に、前記メモリーカードをそれぞれ保持するとともに、メモリーカードが配置される領域をそれぞれ囲む複数の第２ホルダーを有している。前記複数の第１ホルダーが囲む複数の領域のそれぞれは、前記複数の第２ホルダーが囲む領域と少なくとも部分的に対向しており、前記複数の第１ホルダーは、前記第２のケースパネルに向けて突出し、前記複数の第２ホルダーに配置されるメモリーカードの当該第２ホルダーからの離脱を制限するための凸部を有している。
【０００７】
本発明によれば、ホルダーの一部である凸部を利用するので、ケースの大型化を押えながら、複数のメモリーカードを安定的に保持できる。
【図面の簡単な説明】
【０００８】
【図１】本発明の一実施形態に係る収納ケースの斜視図である。
【図２】上記収納ケースを開いた状態を示す斜視図である。
【図３】上記収納ケースを開いた状態を示す平面図である。第２メインホルダーと第２サブホルダーとには、それらの明瞭化のために、ハッチングが付されている。ケースが閉じられたときの第１メインホルダーと第１サブホルダーの位置が２点鎖線で示されている。
【図４】図３に示すＩＶ−ＩＶ線での収納ケースの断面図である。同図では収納ケースを閉じた状態が示されている。
【図５】図３に示すＶ−Ｖ線での収納ケースの断面図である。同図では収納ケースを閉じた状態が示されている。
【図６】図３に示すＶＩ−ＶＩ線での収納ケースの断面図である。同図では収納ケースを閉じた状態が示されている。
【発明を実施するための形態】
【０００９】
以下、本発明の一実施形態について図面を参照しながら説明する。図１は本発明の一実施形態に係る収納ケース１の斜視図である。図２はケース１を開いた状態を示す斜視図である。図３はケース１を開いた状態を示す平面図である。図４乃至図６はケース１を閉じた状態を示す断面図である。図４は図３に示すＩＶ−ＩＶ線を切断面とし、図５は図３に示すＶ−Ｖ線を切断面とし、図６は図３に示すＶＩ−ＶＩ線を切断面としている。以下の説明では、図２のＸ１，Ｘ２で示す方向をそれぞれ左方向，右方向とする。また、図２のＹ１，Ｙ２で示す方向をそれぞれ前方、後方とする。
【００１０】
図２に示すように、収納ケース１は第１ケースパネル１０Ａと第１ケースパネル１０Ａに対して開閉可能な第２ケースパネル１０Ｂとを有している。第１ケースパネル１０Ａと第２ケースパネル１０Ｂは、それらの間に配置された連結壁３１を通して、互いに連結されている。ケースパネル１０Ａ，１０Ｂは連結壁３１を中心にして開閉可能である。ケース１はその閉状態において略直方体状であり（図１参照）、連結壁３１はケース１の側壁の１つとして機能する。第１ケースパネル１０Ａと第２ケースパネル１０Ｂの全体は、それらの外周縁に形成された、半壁３２Ａ，３２Ｂで取り囲まれている。閉状態では、第１ケースパネル１０Ａに形成された半壁３２Ａと第２ケースパネル１０Ｂに形成された半壁３２Ｂとが組み合わさり、ケース１の他の側壁として機能する。なお、半壁３２Ａ，３２Ｂにはケース１を閉じた状態で保持するためのロック機構が設けられている。具体的には、半壁３２Ａの左右方向の中央部には、爪部３２ａが形成されている。半壁３２Ｂの対応する位置には、爪部３２ａが嵌る溝３２ｂが形成されている。これら爪部３２ａと溝３２ｂとによってロック機構が構成されている。
【００１１】
第１ケースパネル１０Ａは、第２ケースパネル１０Ｂに対向する面に、メモリーカード９１，９２をそれぞれ保持するための複数のホルダーを有している。この例の第１ケースパネル１０Ａは、サイズの異なる２種類のホルダーを有している。すなわち、第１ケースパネル１０Ａは、複数の第１メインホルダー１１Ａと、第１メインホルダー１１Ａよりもサイズの小さい第１サブホルダー２１Ａとを有している。第１サブホルダー２１Ａはメモリーカード９２を保持するためのホルダーであり、第１メインホルダー１１Ａはメモリーカード９１を保持するためのホルダーである。ホルダー１１Ａ，２１Ａは第１ケースパネル１０Ａの外周縁に形成された半壁３２Ａから離れて形成されている。
【００１２】
メモリーカード９１，９２はフラッシュメモリや小型のハードディスクを備えるカード型の記憶装置であり、例えばゲーム機やデジタルカメラ、携帯電話、パーソナルコンピュータなどの電子機器で利用される。メモリーカード９１，９２は、ＳＤカードなど汎用のものだけでなく、特定の電子機器（例えばゲーム機）に対応した専用の記憶装置でもよい。
【００１３】
第２ケースパネル１０Ｂは、第１ケースパネル１０Ａと同様に、第１ケースパネル１０Ａに対向する面に、メモリーカード９１，９２をそれぞれ保持するための複数のホルダーを有している。この例では、第２ケースパネル１０Ｂも、複数の第２メインホルダー１１Ｂと、第２メインホルダー１１Ｂよりもサイズの小さい第２サブホルダー２１Ｂとを有している。ホルダー１１Ｂ，２１Ｂは、第２ケースパネル１０Ｂの外周縁に形成された半壁３２Ａから離れて形成されている。なお、この例では、第１メインホルダー１１Ａの数と第２メインホルダー１１Ｂの数は等しい。
【００１４】
第１メインホルダー１１Ａは、メモリーカード９１をそれぞれ保持するとともに、メモリーカード９１が配置される領域を囲む形状を有している。この例の第１メインホルダー１１Ａは、図２に示すように、第１ケースパネル１０Ａ上で立つストッパ壁部１２と保持壁部１４とを有している。これら壁部１２，１４はメモリーカード９１が配置される領域を囲んでいる。壁部１２，１４により、前後方向及び左右方向へのメモリーカード９１の動きが規制され、またユーザにメモリーカード９１を配置する領域を案内できる。
【００１５】
図２に示すように、第１メインホルダー１１Ａは保持壁部１４とは反対側に複数（この例では２つ）のフック１３を有している。フック１３はメモリーカード９１の一方の縁に引っ掛かる。フック１３は弾性変形可能であり、メモリーカード９１を第１メインホルダー１１Ａに嵌める際及び第１メインホルダー１１Ａから取り出す際、その弾性変形によりメモリーカード９１の嵌め入れ、取り出しを許容する。２つのフック１３は左右方向に離れて位置し、メモリーカード９１の縁に沿うように形成されている。２つのフック１３は壁部１２，１４とともにメモリーカード９１が配置される領域を囲んでいる。フック１３と壁部１２，１４が囲む領域はメモリーカード９１のサイズに対応している。
【００１６】
図２に示すように、保持壁部１４は、その頂縁に、メモリーカード９１の反対側の縁を保持するための複数（この例では２つ）の張り出し部１４ａを有している。２つの張り出し部１４ａは左右方向に離れて位置している。この例の保持壁部１４はメモリーカード９１の配置領域の角を囲むように屈曲しており、その両端（右端部及び左端部）に、側壁部１４ｃを有している。張り出し部１４ａは保持壁部１４の角の頂縁から内側に張り出している。張り出し部１４ａとフック１３により、メモリーカード９１は第１メインホルダー１１Ａの内側に保持される。なお、ストッパ壁部１２も、側壁部１４ｃと同様に、メモリーカード９１が配置される領域の左右に形成されており、側壁として機能する。すなわち、ストッパ壁部１２と側壁部１４ｃはメモリーカード９１の左右の動きを規制する。ストッパ壁部１２については後において詳説する。
【００１７】
この例の第２メインホルダー１１Ｂは、第１メインホルダー１１Ａと同様に、メモリーカード９１をそれぞれ保持するとともに、メモリーカード９１が配置される領域を囲む形状を有している。すなわち、図２に示すように、第２メインホルダー１１Ｂも、ストッパ壁部１２と保持壁部１４とを有している。すなわち、第２メインホルダー１１Ｂのストッパ壁部１２の前後方向の幅や、第２メインホルダー１１Ｂの保持壁部１４の左右方向の幅、側壁部１４ｃの前後方向の幅、フック１３の大きさは、第１メインホルダー１１Ａのそれらに相当している。
【００１８】
また、この例では、第１メインホルダー１１Ａと第２メインホルダー１１Ｂのいずれにおいても、保持壁部１４は中心線Ｃ１寄りに配置され、フック１３は保持壁部１４に比べて中心線Ｃ１から離れて位置している。この例では、第２メインホルダー１１Ｂは、第１メインホルダー１１Ａとは線対称の形状を有している。すなわち、第２メインホルダー１１Ｂの形状と第１メインホルダー１１Ａの形状は、開状態のケース１の前後方向の中心を規定する中心線Ｃ１（図３）に対して対称となっている。そのため、ケース１の閉状態では、メインホルダー１１Ａ，１１Ｂの各部（例えば、フック１３や保持壁部１４）の位置は、前後方向において互いに等しくなる。なお、後において詳説するように、第１メインホルダー１１Ａと第２メインホルダー１１Ｂは左右方向においてはオフセットしている。
【００１９】
図２に示すように、メインホルダー１１Ａ，１１Ｂの内側には複数（この例では２つ）のリブ１５が形成されている。リブ１５はメインホルダー１１Ａ，１１Ｂに配置されたメモリーカード９１を支持する（図４及び図５参照）。このリブ１５によれば、メモリーカード９１とケースパネル１０Ａ，１０Ｂとの間に隙間が形成される。その結果、ユーザがメモリーカード９１を取り出しやすくなる。リブ１５はフック１３と保持壁部１４とが対向する方向、この例では前後方向に沿って形成されている。ユーザはメモリーカード９１をメインホルダー１１Ａ，１１Ｂに嵌め入れる際、或いは、メインホルダー１１Ａ，１１Ｂから取り出す際、図２の二点鎖線で示すようにメモリーカード９１を一旦傾斜させる。リブ１５の上縁は、保持壁部１４寄りの部分に、斜面１５ａ（図４）を有している。これにより、メインホルダー１１Ａ，１１Ｂへのメモリーカード９１の嵌め入れ作業や、メインホルダー１１Ａ，１１Ｂからのメモリーカード９１の取り出し作業が行い易くなる。なお、図４に示すように、フック１３の先端には爪部１３ａが形成されている。爪部１３ａはメインホルダー１１Ａ，１１Ｂに配置されたメモリーカード９１と対向する面に、斜面１３ｃを有している。この斜面１３ｃは水平方向、すなわち、ケースパネル１０Ａ，１０Ｂと平行な方向に対して傾斜している。これにより、メモリーカード９１をメインホルダー１１Ａ，１１Ｂから取り出しやすくなっている。
【００２０】
ケース１の閉状態において、第１メインホルダー１１Ａと第２メインホルダー１１Ｂは、それらが囲む領域、すなわちメモリーカード９１が配置される領域が、ケース１の閉状態において少なくとも部分的に対向するようレイアウトされている。また、第１メインホルダー１１Ａは、閉状態において第２ケースパネル１０Ｂに向けて突出し、メモリーカード９１の第２メインホルダー１１Ｂからの離脱を制限する凸部を有している。これにより、第２メインホルダー１１Ｂからのメモリーカード９１の離脱が制限され得る。また、第１メインホルダー１１Ａの一部を利用してメモリーカード９１の離脱を制限するので、第１ケースパネル１０Ａ上の領域を有効に利用できる。以下では、第１メインホルダー１１Ａが囲む領域と第２メインホルダー１１Ｂが囲む領域をカード配置領域と称する。
【００２１】
この例では、ストッパ壁部１２が上述の凸部として機能している（図４及び図５参照）。ストッパ壁部１２は、第２メインホルダー１１Ｂに配置されたメモリーカード９１がフック１３から外れる前に、すなわち、フック１３の先端に形成された爪部１３ａをメモリーカード９１が乗り越える前に、ストッパ壁部１２の頂縁１２ｅ（図４）にメモリーカード９１が当るよう、その高さが設定されている。
【００２２】
図４に示すように、この例のストッパ壁部１２の頂縁１２ｅは、第２メインホルダー１１Ｂのフック１３の先端よりも第２ケースパネル１０Ｂ寄りに位置している。より詳細には、ストッパ壁部１２の頂縁はフック１３の爪部１３ａの頂部１３ｂよりも第２ケースパネル１０Ｂ寄りに位置している。これにより、第２メインホルダー１１Ｂからのメモリーカード９１の離脱が、より確実に制限され得る。
【００２３】
また、図４に示すように、ストッパ壁部１２の頂縁１２ｅは、第２メインホルダー１１Ｂに形成された保持壁部１４の張り出し部１４ａの表面（第１ケースパネル１０Ａ側の面）よりも第２ケースパネル１０Ｂ寄りに位置している。これにより、第２メインホルダー１１Ｂからのメモリーカード９１の離脱が確実に制限され得る。なお、上述したように、張り出し部１４ａは保持壁部１４の頂縁に形成されている。そのため、ストッパ壁部１２の頂縁１２ｅは、第２メインホルダー１１Ｂの保持壁部１４の頂縁よりも第２ケースパネル１０Ｂ寄りに位置している。
【００２４】
図４に示すように、第２メインホルダー１１Ｂにメモリーカード９１を配置した状態でメモリーカード９１とストッパ壁部１２の頂縁１２ｅとの間に僅かなクリアランスができるよう、ストッパ壁部１２の高さは設定されている。これによれば、メモリーカード９１に負荷が掛ることを防ぐことができる。例えば、ケース１が閉じており、上述のロック機構により２つのケースパネル１０Ａ，１０Ｂを互いに近づけようとする力が作用しているとき、ロック機構によるその力がストッパ壁部１２を通してメモリーカード９１に伝わることをクリアランスによって防ぐことができる。
【００２５】
図２に示すように、第２メインホルダー１１Ｂも、第１メインホルダー１１Ａと同様に、第１ケースパネル１０Ａに向けて突出し、第１メインホルダー１１Ａに配置されるメモリーカード９１の第１メインホルダー１１Ａからの離脱を制限するための凸部を有している。この例の第２メインホルダー１１Ｂは、上述したように、ストッパ壁部１２を有している。このストッパ壁部１２が凸部として機能している。第２メインホルダー１１Ｂが備えるストッパ壁部１２の形状及びサイズは、第１メインホルダー１１Ａが備えるストッパ壁部１２のそれと同様である。また、第２メインホルダー１１Ｂが備えるストッパ壁部１２の第１メインホルダー１１Ａに対する相対的な位置関係は、第１メインホルダー１１Ａが備えるストッパ壁部１２の第２メインホルダー１１Ｂに対する相対的な位置と同様である。ストッパ壁部１２のホルダー１１Ａ，１１Ｂに対する相対位置は、後において詳説する。
【００２６】
図３に示すように、この例の第１メインホルダー１１Ａは左右方向に等間隔で並んでいる。同様に、第２メインホルダー１１Ｂも左右方向に等間隔で並んでいる。ケース１の閉状態において、各第１メインホルダー１１Ａは第２メインホルダー１１Ｂに対して左右方向にずれて位置する。すなわち、複数の第１メインホルダー１１Ａと複数の第２メインホルダー１１Ｂは中心線Ｃ１を挟んで左右方向に交互に形成されている。この例では、第１メインホルダー１１Ａの全体と第２メインホルダー１１Ｂの全体は左右方向にずれて配置され、それらのずれ幅はメインホルダー１１Ａ，１１Ｂの左右方向の幅より小さい。このようなレイアウトによれば、第２メインホルダー１１Ｂのカード配置領域の内側に向かって、第１メインホルダー１１Ａのストッパ壁部１２を突出させることができる。同様に、第１メインホルダー１１Ａのカード配置領域の内側に向かって、第２メインホルダー１１Ｂのストッパ壁部１２を突出させることができる。その結果、上述したように、ストッパ壁部１２の頂縁１２ｅをメモリーカード９１に対向させることが可能となる。なお、この例では、第１ケースパネル１０Ａと第２ケースパネル１０Ｂは、メインホルダー１１Ａ，１１Ｂが位置ずれした方向、すなわち左右方向に沿った縁を介して互いに連結されている。なお、第１メインホルダー１１Ａと第２メインホルダー１１Ｂのずれ幅は、メインホルダー１１Ａ，１１Ｂの左右方向の幅と一致していなければよく、例えばメインホルダー１１Ａ，１１Ｂの左右方向の幅よりも大きくてもよい。
【００２７】
図４に示すように、この例では、ケース１が閉状態にあるとき、第１メインホルダー１１Ａの位置と第２メインホルダー１１Ｂの位置は、前後方向においてはずれていない。そのため、第１メインホルダー１１Ａの保持壁部１４の高さは、それらが干渉しないように低く設定されている。一方、ストッパ壁部１２は保持壁部１４よりも大きく突出している。なお、このように第１メインホルダー１１Ａの位置と第２メインホルダー１１Ｂの位置は前後方向においてはずれていないため、ケース１の前後方向の幅の拡大を抑えることができる。
【００２８】
第１メインホルダー１１Ａは左右方向において対向する２つのストッパ壁部１２を有している（図２参照）。図３に示すように、ケース１が閉状態にあるとき、第２メインホルダー１１Ｂのカード配置領域は、隣接する２つの第１メインホルダー１１Ａのカード配置領域の双方に重なる（図３では、第２メインホルダー１１Ｂと第２サブホルダー２１Ｂとには、それらの明瞭化のために、ハッチングが付されている。また、ケース１が閉じられたときの第１メインホルダー１１Ａと第１サブホルダー２１Ａが２点鎖線で示されている）。換言すると、１つの第２メインホルダー１１Ｂのカード配置領域の一部は、隣接する２つの第１メインホルダー１１Ａうち一方の領域に対向し、残りの一部は他方の第１メインホルダー１１Ａの領域に対向する。そして、１つの第２メインホルダー１１Ｂの領域に向けて、隣接する２つの第１メインホルダー１１Ａのストッパ壁部１２が突出する。この構造によれば、２つのストッパ壁部１２によって１つのメモリーカード９１の離脱を防止することとなる。その結果、より確実にメモリーカード９１の離脱を防止できる。なお、このことは、第１メインホルダー１１Ａに保持されるメモリーカード９１についても同様である。すなわち、ケース１が閉状態にあるとき、第１メインホルダー１１Ａのカード配置領域は、隣接する２つの第２メインホルダー１１Ｂの領域の双方に対向する。そのため、１つの第１メインホルダー１１Ａのカード配置領域に向かって、２つの第２メインホルダー１１Ｂのストッパ壁部１２が突出する。
【００２９】
なお、図２に示すように、複数の第１メインホルダー１１Ａはその端部にメインホルダー１１Ａｅを含んでいる。また、複数の第２メインホルダー１１Ｂはその端部にメインホルダー１１Ｂｅを含んでいる。後において詳説するように、メインホルダー１１Ａｅ，１１Ｂｅは、ケース１の閉状態では、メインホルダー１１Ａ，１１Ｂよりもサイズの小さい第２サブホルダー２１Ｂ，２１Ａとそれぞれ対向する。そのため、端部のメインホルダー１１Ａｅ，１１Ｂｅのカード配置領域には、１つのストッパ壁部１２のみが突出する。例えば、メインホルダー１１Ａｅに向けては、第２サブホルダー２１Ｂに隣接する第２メインホルダー１１Ｂのストッパ壁部１２のみが突出する。
【００３０】
メインホルダー１１Ａ，１１Ｂのカード配置領域は、メモリーカード９１の形状に合わせて略矩形を呈している。すなわち、カード配置領域の１辺はそれに垂直な１辺よりも長くなっている。ストッパ壁部１２はカード配置領域の長手方向、すなわち、長い方の一辺に沿った側壁である。これにより、ストッパ壁部１２の長さが確保し易くなっている。その結果、ケース１の外部から力が作用した場合でも、ストッパ壁部１２を通してメモリーカード９１の一部に応力が集中することを抑えることができる。この例では、各カード配置領域の縦幅（前後方向（Ｙ１−Ｙ２）の幅）は横幅（左右方向（Ｘ１−Ｘ２）の幅）よりも長くなっている。ストッパ壁部１２はカード配置領域の前後方向に沿った壁である。
【００３１】
上述したように、カード配置領域にはメモリーカード９１を支持するためのリブ１５が形成されている。図４に示すように、ケース１の断面を左右方向に臨んだ場合に、第２メインホルダー１１Ｂに形成されたリブ１５と、第１メインホルダー１１Ａのストッパ壁部１２は、部分的に重なっている。すなわち、第２メインホルダー１１Ｂに形成されたリブ１５と、第１メインホルダー１１Ａのストッパ壁部１２は、それらの前後方向における位置に関して部分的に重なっている。同様に、第１メインホルダー１１Ａに形成されたリブ１５と、第２メインホルダー１１Ｂのストッパ壁部１２は、それらの前後方向における位置に関して部分的に重なっている。リブ１５とストッパ壁部１２のこのようなレイアウトによれば、ケース１の外部から力が作用した場合でも、ストッパ壁部１２を通してメモリーカード９１に作用する負荷をリブ１５で受け易くなる。すなわち、メモリーカード９１に剪断力が作用し難くなる。
【００３２】
上述したように、第２メインホルダー１１Ｂはフック１３と保持壁部１４とを有している。フック１３は弾性変形可能となっている。図４に示すように、第１メインホルダー１１Ａのストッパ壁部１２は、第２メインホルダー１１Ｂの保持壁部１４よりもフック１３側の位置に向かって突出している。ストッパ壁部１２のこのレイアウトにより、メモリーカード９１が第２メインホルダー１１Ｂのフック１３を外れることを、さらに確実に防ぐことが可能となる。この例のストッパ壁部１２は、第２メインホルダー１１Ｂのカード配置領域の前後方向における中心Ｃ２よりもフック１３側に位置している。同様に、第２メインホルダー１１Ｂのストッパ壁部１２は、第１メインホルダー１１Ａの保持壁部１４よりもフック１３側に位置している。
【００３３】
上述したように複数の第１メインホルダー１１Ａは左右方向に並び、第２メインホルダー１１Ｂも左右方向に並んでいる。第１メインホルダー１１Ａと第２メインホルダー１１Ｂのカード配置領域の長手方向は、それらの並び方向に対して直交している。すなわち、この例では、図３に示すように、カード配置領域の長手方向は前後方向に沿っている。このレイアウトによれば、ケース１の左右方向の長さを低減できる。また、この例では、サブホルダー２１Ａ，２１Ｂも、メインホルダー１１Ａ，１１Ｂとともに左右方向に並んでいる。サブホルダー２１Ａ，２１Ｂも略矩形であり、その長手方向、すなわち長い方の１辺に沿った方向は、前後方向に沿っている。なお、メインホルダー１１Ａ，１１Ｂとサブホルダー２１Ａ，２１Ｂのレイアウトはこれに限られない。例えば、メインホルダー１１Ａ，１１Ｂやサブホルダー２１Ａ，２１Ｂはそれらの長手方向が左右方向の沿うように配置されてもよい。このようなレイアウトによれば、ケース１の前後方向の幅を低減できる。
【００３４】
上述したように、ケース１が閉状態にあるとき、第１メインホルダー１１Ａの位置と第２メインホルダー１１Ｂの位置は、前後方向においてはずれていない。そのため、第１メインホルダー１１Ａの一部が第２メインホルダー１１Ｂの一部と重なる。この例では、図３及び図６に示すように、第１メインホルダー１１Ａの２つフック１３のうち一方が、第２メインホルダー１１Ｂのストッパ壁部１２と重なる。また、第２メインホルダー１１Ｂの２つフック１３のうち一方が、第１メインホルダー１１Ａのストッパ壁部１２と重なる。この例では、これらの干渉を避けるために、ストッパ壁部１２には凹部１２ａが形成されている（図２参照）。
【００３５】
上述したように、第１ケースパネル１０Ａは複数の第１メインホルダー１１Ａとそれよりもサイズの小さい第１サブホルダー２１Ａとを有している。同様に、第２ケースパネル１０Ｂは複数の第２メインホルダー１１Ｂと、それよりサイズの小さい第２サブホルダー２１Ｂとを有している。これら２つのサブホルダー２１Ａ，２１Ｂはメモリーカード９１よりもサイズの小さいメモリーカード９２を保持するためのホルダーであり、互いに同じサイズを有している。
【００３６】
図２に示すように、第１ケースパネル１０Ａに形成された複数のホルダー１１Ａ，２１Ａは左右方向に並んでいる。第１メインホルダー１１Ａは連続して配置され、第１サブホルダー２１Ａは複数のホルダー１１Ａ，２１Ａの端部に配置されている。第１サブホルダー２１Ａは、第２メインホルダー１１Ｂに対してずれた方向（この例では左方向）とは反対側（この例では右側）の端部に配置されている。第１サブホルダー２１Ａのこのレイアウトによれば、第１メインホルダー１１Ａと第２メインホルダー１１Ｂの位置ずれによって生じるスペースを有効に利用して、メモリーカード９２を収容できる。同様に、第２サブホルダー２１Ｂは第２ケースパネル１０Ｂに形成された複数のホルダー１１Ｂ，２１Ｂの端部に配置されている。第２サブホルダー２１Ｂは、第２メインホルダー１１Ｂが第１メインホルダー１１Ａに対してずれた方向（この例では右方向）とは反対側（この例では左側）の端部に配置されている。なお、このようにサイズの小さいサブホルダー２１Ａ，２１Ｂを端部に配置することにより、第１メインホルダー１１Ａの位置を第２メインホルダー１１Ｂの位置に対して左右方向にずらすことができている。その結果、メインホルダー１１Ａ，１１Ｂが有するストッパ壁部１２でメモリーカード９１の離脱を抑えることができている。
【００３７】
図２に示すように、第１サブホルダー２１Ａは、メモリーカード９２を保持するとともに、メモリーカード９２が配置される領域を囲む形状を有している。具体的には、第１サブホルダー２１Ａは、保持壁部２４と、離れて位置する２つの壁部２２とを含んでいる。この保持壁部２４と壁部２２とによって、メモリーカード９２が配置される領域が囲まれている。この例では、壁部２２は領域の角を囲むようＬ字状に形成されている。保持壁部２４は、領域の角を囲むようにその両端部が壁部２２に向けて屈曲している。また、保持壁部２４はメモリーカード９２の一方の縁を保持するよう形成されている。具体的には、保持壁部２４は、その頂縁の角に、張り出し部２４ａを有している。この張り出し部２４ａと第１ケースパネル１０Ａとの間にメモリーカード９２の縁を嵌め入れることができる。また、第１サブホルダー２１Ａは保持壁部２４とは反対側にメモリーカード９２の縁に引っ掛かるフック２３を有している。このフック２３と保持壁部２４の作用により、第１サブホルダー２１Ａはメモリーカード９２を保持できる。なお、第２ケースパネル１０Ｂに形成された第２サブホルダー２１Ｂも、第１サブホルダー２１と同様に、保持壁部２４，壁部２２，フック２３を有している。
【００３８】
図２に示すように、サブホルダー２１Ａ，２１Ｂの内側には複数（この例では２つ）のリブ２５が形成されている。リブ２５はサブホルダー２１Ａ，２１Ｂに配置されたメモリーカード９２を支持する（図５参照）。このリブ２５によれば、メモリーカード９２とケースパネル１０Ａ，１０Ｂとの間に隙間が形成される。その結果、ユーザがメモリーカード９２を取り出しやすくなる。リブ２５はフック２３と保持壁部２４とが対向する方向、この例では左右方向に沿って形成され、リブ２５の上縁は、保持壁部２４寄りの部分に、斜面２５ａ（図５）を有している。これにより、サブホルダー２１Ａ，２１Ｂへのメモリーカード９２の嵌め入れ作業や、サブホルダー２１Ａ，２１Ｂからのメモリーカード９２の取り出し作業が行い易くなる。
【００３９】
第２サブホルダー２１Ｂは、ケース１の閉状態において、複数のホルダー１１Ａ，２１Ａのうち端部に位置する第１メインホルダー１１Ａｅと対向する（図３参照）。図２に示すように、第１メインホルダー１１Ａｅは、上述した壁部１２，１４に加えて、フックストッパ壁部１６を含んでいる。フックストッパ壁部１６は、他の壁部１２，１４とともに、メモリーカード９１が配置される領域を囲んでいる。フックストッパ壁部１６は、ケース１の閉状態において、第２サブホルダー２１Ｂのフック２３の弾性変形を制限するよう形成されている。具体的には、図５に示すように、フックストッパ壁部１６は、第２サブホルダー２１Ｂのフック２３に対して、当該フック２３が弾性変形する方向に位置し、且つ、フック２３に沿って配置される。この例では、第２サブホルダー２１Ｂがメモリーカード９２を受け入れる際や第２サブホルダー２１Ｂからメモリーカード９２を取り出す際、第２サブホルダー２１Ｂのフック２３は左方向（Ｘ１）に弾性変形する。そのため、フックストッパ壁部１６は、ケース１の閉状態では、フック２３の左側に位置し、当該フック２３の弾性変形を規制する。このようにフック２３の弾性変形を制限することにより、メモリーカード９２にフックストッパ壁部１６を当てることなく、メモリーカード９２の離脱を抑えることが可能となる。
【００４０】
第２サブホルダー２１Ｂと第１メインホルダー１１Ａｅとの関係と同様に、第１サブホルダー２１Ａは、ケース１の閉状態において、複数のホルダー１１Ｂ，２１Ｂのうち端部に位置する第２メインホルダー１１Ｂｅと対向する。図２に示すように、第２メインホルダー１１Ｂｅも、第１サブホルダー２１Ａのフック２３の動きを制限するフックストッパ壁部１６を含んでいる。
【００４１】
なお、この例では、フックストッパ壁部１６は、フック２３の先端の位置を越えて伸びている。図５を参照すると、第１メインホルダー１１Ａｅのフックストッパ壁部１６の先端は、第２サブホルダー２１Ｂのフック２３の爪部２３ａよりも第２ケースパネル１０Ｂ寄りに位置している。
【００４２】
図５に示すように、フック２３の先端は、フックストッパ壁部１６が配置される側に、斜面２３ｃを有している。斜面２３ｃは、ケース１を開状態から閉状態にする際にフックストッパ壁部１６が進む方向に対して斜めになるよう形成されている。この斜面２３ｃによれば、フックストッパ壁部１６がフック２３の先端に当った場合であっても、フック２３に沿った位置、すなわち図５に示す位置まで円滑に移動できる。
【００４３】
上述したように、第２サブホルダー２１Ｂは第１メインホルダー１１Ａよりも小さい。そのため、図３に示すように、第１メインホルダー１１Ａｅのカード配置領域には、第２サブホルダー２１Ｂだけでなく、当該第２サブホルダー２１Ｂに隣接する第２メインホルダー１１Ｂの一部も重なる。そのため、第１メインホルダー１１Ａのメモリーカード９１に向けて、第２メインホルダー１１Ｂのストッパ壁部１２を突出させることができる。これにより、第２サブホルダー２１Ｂにはメモリーカード９１の離脱を押えるための突起などを形成することなく、第１メインホルダー１１Ａｅのメモリーカード９１の離脱を抑えることができる。
【００４４】
第２サブホルダー２１Ｂは、第２ケースパネル１０Ｂに形成された複数のホルダー２１Ｂ，１１Ｂのなかで最も左方向に位置している。このように配置された第２サブホルダー２１Ｂの左側部分に、そのフック２３は位置している。フック２３のこのようなレイアウトにより、第２サブホルダー２１Ｂに対向する第１メインホルダー１１Ａｅの左側の壁部の一部、すなわちフックストッパ壁部１６を利用してフック２３の弾性変形を制限することができている。同様に、第１サブホルダー２１Ａは、第１ケースパネル１０Ａに形成された複数のホルダー２１Ａ，１１Ａのなかで最も右方向に位置している。そして、第１サブホルダー２１Ａの右側部分に、そのフック２３は位置している。フック２３のこのようなレイアウトにより、第２メインホルダー１１Ｂｅの右側の壁部の一部、すなわちフックストッパ壁部１６を利用してフック２３の弾性変形を制限することができている。
【００４５】
なお、上述したように、メインホルダー１１Ａ，１１Ｂにおいてはフック１３と保持壁部１４は前後方向において対向している。一方、サブホルダー２１Ａ，２１Ｂにおいてはフック２３と保持壁部２４は左右方向において対向し、メインホルダー１１Ａ，１１Ｂにおける方向とは直交している。
【００４６】
以上説明したように、第１ケースパネル１０Ａの複数のメインホルダー１１Ａ（１１Ａｅ）が囲む複数の領域のそれぞれは、第２ケースパネル１０Ｂのホルダー１１Ｂ，２１Ｂと少なくとも部分的に対向している。そして、メインホルダー１１Ａ，１１Ａｅは、第２ケースパネル１０Ｂに向けて突出し、ホルダー１１Ｂ，２１Ｂに配置されるメモリーカード９１，９２の離脱を制限するためのストッパ壁部１２とフックストッパ壁部１６をそれぞれ有している。この構造によれば、メモリーカード９１，９２の離脱を抑えることができる。
【００４７】
また、複数の第１メインホルダー１１Ａは左右方向に並んでおり、複数の第２メインホルダー１１Ｂも左右方向に並んでいる。そして、第１メインホルダー１１Ａは第２メインホルダー１１Ｂに対して左右方向にずれて位置している。このレイアウトによれば、第１メインホルダー１１Ａと第２メインホルダー１１Ｂとが同じサイズを有する構造においても、それらの側壁部、以上の説明ではストッパ壁部１２を利用して、メモリーカード９１の離脱を抑えることができる。
【００４８】
また、複数のメインホルダー１１Ｂは、第１ケースパネル１０Ａに向けて突出し、ホルダー１１Ａ，２１Ａに配置されるメモリーカード９１，９２の離脱を制限するためのストッパ壁部１２及びフックストッパ壁部１６をそれぞれ有している。この構造によれば、第１ケースパネル１０Ａにおいて保持されるメモリーカード９１，９２の離脱をも防止できる。
【００４９】
また、第１メインホルダー１１Ａのストッパ壁部１２は第２メインホルダー１１Ｂが囲むカード配置領域の内側に向けて突出している。これによれば、簡単な構造でメモリーカード９１の離脱を防ぐことができる。
【００５０】
第１メインホルダー１１Ａはメモリーカード９１が配置される領域を囲む壁部１２，１４を含み、壁部１２，１４の一部、すなわちストッパ壁部１２は、メモリーカード９１が配置される領域の長手方向に沿っている。これによれば、ストッパ壁部１２の長さを確保することが容易となる。
【００５１】
複数の第１メインホルダー１１Ａのストッパ壁部１２は、第２メインホルダー１１Ｂが囲む領域における、保持壁部１４よりもフック１３側の位置に向かって突出している。これによれば、より確実にメモリーカード９１の離脱を抑えることができる。
【００５２】
第１ケースパネル１０Ａに形成されたメインホルダー１１Ａｅは、第２ケースパネル１０Ｂに向けて突出し、第２サブホルダー２１Ｂのフック２３の弾性変形を制限するフックストッパ壁部１６を有している。これによれば、メモリーカード９２に係る負荷を軽減しながら、その離脱を抑えることができる。
【００５３】
また、第１サブホルダー２１Ａは、複数の第１メインホルダー１１Ａが第２メインホルダー１１Ｂに対してずれた方向とは反対側の端部に配置されている。これによれば、第１ケースパネル１０Ａ上の領域を有効利用できる。
【００５４】
なお本発明は以上説明したケース１に限られず、種々の変更が可能である。
【００５５】
例えば、以上の説明では、サブホルダー２１Ａ，２１Ｂが設けられていたが、これらは必ずしも設けられていなくてもよい。また、サブホルダー２１Ａ，２１Ｂはいずれか一方のケースパネル１０Ａ，１０Ｂにのみ設けられ、他方のケースパネルには設けられていなくてもよい。
【００５６】
また、以上の例では、メインホルダー１１Ａ，１１Ｂの数は、第１ケースパネル１０Ａと第２ケースパネル１０Ｂとにおいて同じであった。しかしながら、これらの数は２つのケースパネル１０Ａ，１０Ｂにおいて異なっていてもよい。
【００５７】
また、第１メインホルダー１１Ａと第２メインホルダー１１Ｂは左右方向にずれて配置され、第１ケースパネル１０Ａと第２ケースパネル１０Ｂは左右方向に沿った縁で連結されていた。しかしながら、第１メインホルダー１１Ａと第２メインホルダー１１Ｂは左右方向にずれて配置され、第１ケースパネル１０Ａと第２ケースパネル１０Ｂは、ホルダー１１Ａ，１１Ｂがずれる方向とは直交する方向（例えば、前後方向）に沿った縁で連結されてもよい。
【００５８】
また、側壁部として機能するストッパ壁部１２がメモリーカード９１の離脱を防止していた。しかしながら、第１メインホルダー１１Ａと第２メインホルダー１１Ｂが備える他の部分でメモリーカード９１の離脱は防止されてよい。
【符号の説明】
【００５９】
１  収納ケース、１０Ａ  第１ケースパネル、１０Ｂ  第２ケースパネル、１１Ａ，１１Ａｅ  第１メインホルダー、１１Ｂ，１１Ｂｅ  第２メインホルダー、１２  ストッパ壁部、１３  フック、１４  保持壁部、１５  リブ、１６  フックストッパ壁部、２１Ａ  第１サブホルダー、２１Ｂ  第２サブホルダー、２２  壁部、２３  フック、２３ａ  爪部、２４  保持壁部、２５  リブ。
【要約】
【課題】ケースの大型化を抑えながら、複数のメモリーカードを安定的に保持できる収納ケースを提供する。
【解決手段】第１ケースパネル１０Ａの複数のメインホルダー１１Ａが囲む領域のそれぞれは、第２ケースパネル１０Ｂのホルダー１１Ｂ，２１Ｂの領域と少なくとも部分的に対向している。そして、メインホルダー１１Ａは、第２ケースパネル１０Ｂに向けて突出し、ホルダー１１Ｂ，２１Ｂに配置されるメモリーカード９１，９２の離脱を制限するための壁部１２，１６を有している。
【選択図】図２【図１】
0005162015.tif 000002
【図２】
0005162015.tif 000003
【図３】
0005162015.tif 000004
【図４】
0005162015.tif 000005
【図５】
0005162015.tif 000006
【図６】
0005162015.tif 000007